(57)【特許請求の範囲】
【請求項１】
ラミネートフィルムで作られた両面部分とガセット部分を有するガセット形容器と、ガセット形容器の開口部に固着された取出具とを有し、ガセット形容器の対向する２面を断熱層を有するラミネートフィルムで形成し、他の対向する２面を断熱層のないラミネートフィルムで形成し、断熱層を有するラミネートフィルムが、プラスチックフィルムと不織布とプラスチックフィルムを有し、中間に位置する不織布の周囲をヒートシール手段で密封し、不織布に含まれる空気を密封状態にしたことを特徴とする包装容器。
【請求項２】
不織布の周囲の密封は、製袋時のシール加工により行われることを特徴とする請求項１に記載の包装容器。
【請求項３】
対向する２面が両面部分であることを特徴とする請求項１または２に記載の包装容器。
【請求項４】
ガセット形容器が底部部分を備えた自立型袋であることを特徴とする請求項１ないし３のいずれか１項に記載の包装容器。
【発明の詳細な説明】
【技術分野】
【０００１】
本発明は、アイスクリームやシャーベットのような氷菓子またはお茶やスープのような加温飲料を収容するのに使用される包装容器に関する。
【背景の技術】
【０００２】
ジュースのような液体飲料やゼリー状食品を充填する包装容器として、ラミネートフィルムで作られたガセット形容器と、ガセット形容器の開口部に固着された取出具とを有する形式のガセット形包装容器は知られている（例えば、特許文献１）。
【０００３】
上記包装容器は、ポリエステルフィルムとアルミホイルと延伸ナイロンフィルムと低密度ポリエチレンフィルムを積層した断熱層のないラミネートフィルムで形成されている。
【０００４】
上記包装容器は、液体飲料やゼリー状食品を充填した場合、充填した液体飲料やゼリー状食品を低温に保持するために、冷蔵装置の低温室に配置されるのが一般的である。
【０００５】
包装容器内の液体飲料を飲用するには、液体飲料を充填した包装容器を冷蔵装置の低温室から取り出し、包装容器の取出具に設けたキャップを外し、取出具の端部を口で吸いながら包装容器の両面部分を手の指で押圧することで行なう。
【特許文献１】特開２０００−１０３４３８号公報（第２頁，第１図参照）
【発明の開示】
【発明が解決しようとする課題】
【０００６】
上記包装容器は、液体飲料やゼリー状食品を充填した場合、液体飲料を低温に保持するために低温室に配置されるので、低温室から取り出した時の包装容器は、両面部分の表面温度が氷点より高い低温であるから、飲用に際して、包装容器の両面部分を手の指で押圧した時、指が低温であることを感じるだけであり、指が冷えてしまうという問題は発生しない。
【０００７】
しかし、上記包装容器は、アイスクリームを充填した場合、アイスクリームを氷点以下の温度に保持するために冷凍装置の冷凍室に配置される。そのため、アイスクリームを充填した包装容器は、冷凍装置の冷凍室から取り出した時、両面部分の表面温度が氷点以下の温度になっているので、飲用に際して、包装容器の両面部分を手の指で押圧した時、両面部分に接する指が極度に冷えてしまい、指による押圧を続行できず、飲用に支障が生じることがあり、また、包装容器の両面部分と外気温との温度差により、両面部分の外面に生じる結露により両面部分の外面が濡れてしまうという問題がある。
【０００８】
同様に、上記包装容器は、スープを充填した場合、スープを所定の加温温度に保持するために加温装置の加温室に配置される。そのため、スープを充填した包装容器は、加温装置の加温室から取り出した時、両面部分の表面温度が相当高くなっているので、飲用に際して、包装容器の両面部分を手の指で押圧した時、指による押圧を続行できず、飲用に支障が生じることがあるという問題がある。
【０００９】
本発明は、上記した点を考慮してなされたもので、飲用に際して、充填された内容物の温度に関係なく、包装容器の対向する２面を手の指で押圧して、充填された内容物を取り出すことができる包装容器を提供することを目的とする。
【課題を解決するための手段】
【００１０】
本発明の包装容器は、ラミネートフィルムで作られた両面部分とガセット部分を有するガセット形容器と、ガセット形容器の開口部に固着された取出具とを有し、ガセット形容器の対向する２面を断熱層を有するラミネートフィルムで形成し、他の対向する２面を断熱層のないラミネートフィルムで形成し、断熱層を有するラミネートフィルムが、プラスチックフィルムと不織布とプラスチックフィルムを有し、中間に位置する不織布の周囲をヒートシール手段で密封し、不織布に含まれる空気を密封状態にしたことを特徴とする。
【発明の効果】
【００１１】
本発明の包装容器は、充填したアイスクリームやシャーベットのような氷菓子を急速冷凍する場合、充填した氷菓子を断熱層のないラミネートフィルムの対向する２面を通して冷却することができ、氷菓子の飲用に際して、断熱層を有するラミネートフィルムの対向する２面を手の指で押圧することで、押圧する指が極度に冷えることがなく、指による対向する２面の押圧を連続して行うことができる。
【００１２】
同様に、本発明の包装容器は、充填したお茶やスープを加温保持する場合、充填した加温飲料を断熱層のないラミネートフィルムの対向する２面を通して加温することができ、加温飲料の飲用に際して、断熱層を有するラミネートフィルムの対向する２面を手の指で押圧することで、押圧する指が熱くなることがなく、指による対向する２面の押圧を連続して行うことができる。
【発明を実施するための最良の形態】
【００１３】
以下本発明の実施の形態を図面を参照して説明する。  
図１は、本発明による包装容器の斜視図を示す。この包装容器１は、上方開口のガセット形容器２と、ガセット形容器２の開口部２ａに固着された取出具３とを有する。
【００１４】
上記ガセット形容器２は、両面部分４，４と、これら両面部分４，４の間に折り込み端５ａが内方に位置するように配置されたガセット部分５，５とを有する。両面部分４，４は断熱性を有するプラスチックフィルム６から形成されている。ガセット部分５，５は断熱層のないプラスチックフィルム７から形成されている。
【００１５】
上記プラスチックフィルム６は、図２に示すように、上から順に、厚さ１２μｍのポリエステルフィルム８、断熱層を形成する坪量５０ｇ／ｍ２のポリプロピレン系不織布９、厚さ１５μｍの延伸ナイロンフィルム１０および厚さ７０μｍの低密度ポリエチレンフィルム１１をラミネートしたプラスチックフィルムである。この場合、ポリプロピレン系不織布９と延伸ナイロンフィルム１０の位置を変更することができる。プラスチックフィルム６は、製袋時のシール加工によりシール部の不織布９を溶融し、不織布９の空気層を密封状態とすることで断熱効果を高めることができる。
【００１６】
なお、プラスチックフィルム６のポリプロピレン系不織布９は、ポリエチレン系不織布や、ポリエチレンまたはポリプロピレンの発泡樹脂層に置換することができる。
【００１７】
上記プラスチックフィルム６の他例は、上から順に、厚さ１２μｍのポリエステルフィルム、厚さ１５μｍの延伸ナイロンフィルム、厚さ１５μｍの低密度ポリエチレンフィルム、断熱層を形成する坪量５０ｇ／ｍ２の低密度ポリエチレン不織布および厚さ７０μｍの直鎖状低密度ポリエチレンフィルムをラミネートしたプラスチックフィルムである。
【００１８】
上記プラスチックフィルム７の一例は、図３に示すように、厚さ１２μｍのポリエステルフィルム１２、厚さ７μｍのアルミホイル１３、厚さ１５μｍの延伸ナイロンフィルム１４および厚さ７０μｍの直鎖状低密度ポリエチレンフィルム１５を積層したプラスチックフィルムである。上記プラスチックフィルム７は、断熱層がなく断熱性のない構成である。
【００１９】
上記取出具３は、ねじ部１６を設けた口部１７と、この口部１７に一体の接合部１８とこの接合部１８より下方に延びる導管部１９とを有する。導管部１９は、偏平形状をなす狭搾部２０を有し、狭搾部２０の偏平面に開口２１が形成されている。取出具３の口部１７のねじ部１２にキャップ２２が螺着される。
【００２０】
本発明による包装容器１にアイスクリームを充填するには、図示しない充填ノズルを取出具３の口部１７に装着し、アイスクリームを充填ノズルを通して包装容器１の内部に導入することで行う。
【００２１】
アイスクリームを充填した包装容器１は、アイスクリームを氷点以下の温度で保存するために冷凍装置の冷凍室に配置される。包装容器１は、両面部分４，４が断熱層を有するラミネートフィルムで形成され、ガセット部分５，５が断熱性のないラミネートフィルムで形成されているので、冷凍室内の冷気は、包装容器１の断熱性のないガセット部分５，５を通して包装容器１の内部に導かれ、包装容器１内のアイスクリームは、充填後の急速冷凍に影響されることなく氷点以下の温度で保存される。
【００２２】
包装容器１に収容されたアイスクリームを飲用するには、アイスクリームを充填した包装容器１を冷凍装置の冷凍室から取り出し、包装容器１を常温状態に置く。これにより、外気が断熱性のないガセット部分５，５を通して包装容器１の内部に導かれ、外気により包装容器１内のアイスクリームが溶け始める。
【００２３】
包装容器１内のアイスクリームが溶け出したら、包装容器１のキャップ２２を口部１７から取り外し、取出具３の口部１７を口で吸いながら包装容器１の両面部分４，４を手の指で押圧し、包装容器１内のアイスクリームを絞り出す。この際、包装容器１の両面部分４，４は断熱層を有するプラスチックフィルムで形成されているので、包装容器の両面部分４，４を手の指で押圧した時、指が極度に冷えてしまうことがない。  
【００２４】
なお、上記実施の形態では、包装容器１の両面部分を断熱層を有するラミネートフィルムで形成し、両面部分を手の指で押圧した時、指が極度に冷えてしまうことがないようにしたが、包装容器１のガセット部分を断熱層を有するラミネートフィルムで形成し、ガセット部分を手の指で押圧した時、指が極度に冷えてしまうことがないようにすることもできる。これは、包装容器１の両面部分とガセット部分がほぼ同一寸法で断面が略正方形をなす形態の場合に適している。
【００２５】
また、本発明による包装容器１にスープを充填するには、図示しない充填ノズルを取出具３の口部１７に装着し、スープを充填ノズルを通して包装容器１の内部に導入することで行う。
【００２６】
スープを充填した包装容器１は、スープを飲用に適した温度に保温するために保温装置の保温室に配置される。保温室内の加温空気は、包装容器１の断熱性のないガセット部分５，５を通して包装容器１の内部に導かれ、包装容器１内のスープを所定の温度に保持する。
【００２７】
包装容器１のスープを飲用するには、スープを充填した包装容器１を保温室から取り出し、包装容器１のキャップ２２を口部１７から取り外し、取出具３の口部１７を口で吸いながら包装容器１の両面部分４，４を手の指で押圧し、包装容器１内のスープを絞り出す。この際、包装容器１の両面部分４，４は断熱層を有するプラスチックフィルムで形成されているので、包装容器の両面部分４，４を手の指で押圧した時、指が熱くなってしまうことがない。  
なお、ガセット形容器２は、両面部分４，４と、これら両面部分４，４の間に折り込み端５ａが内方に位置するように配置されたガセット部分５，５と図示しない底部を有するスタンディング形容器とすることもできる。
【００２８】
本発明による包装容器と従来構成の包装容器の測定結果を下表に示す。  
【表１】
0003604685.tif 000002
（１）フィルム構成
試料１  厚さ１２μｍのポリエステルフィルム、坪量３０ｇ／ｍ２のポリエチレン不織布、厚さ１５μｍの延伸ナイロンフィルム、厚さ７０μｍの直鎖状低密度ポリエチレンフィルム
試料２  厚さ１２μｍのポリエステルフィルム、坪量４０ｇ／ｍ２のポリプロピレン不織布、１５μｍの延伸ナイロンフィルム、厚さ７０μｍの直鎖状低密度ポリエチレンフィルム
試料３  厚さ１２μｍのポリエステルフィルム、坪量５０ｇ／ｍ２のポリプロピレン不織布、厚さ１５μｍの延伸ナイロンフィルム、厚さ７０μｍの直鎖状低密度ポリエチレンフィルム
試料４  厚さ２０μｍの延伸ポリプロピレンフィルム、厚さ２０μｍのポリエチレンフィルム、坪量５３ｇ／ｍ２の紙、厚さ３０μｍのポリエチレンフィルム
試料５  厚さ１２μｍのポリエステルフィルム、厚さ１５μｍの金属蒸着延伸ナイロンフィルム、厚さ１００μｍの低密度ポリエチレンフィルム
試料６  厚さ１２μｍのポリエステルフィルム、厚さ７μｍのアルミホイル、厚さ１５μｍの延伸ナイロンフィルム、厚さ７０μｍの低密度ポリエチレンフィルム
（２）測定方法
１０ｃｍ平方の４方シール袋を作り、内部に水を充填し、水を充填した袋を庫内温度をマイナス１５℃とした冷凍庫内に２４時間保存し、冷凍庫から取り出した直後から室温（２５℃）で５分後までの袋の表面温度を測定した。  
（３） 測定結果
上記測定結果によれば、試料１ないし３により作成した袋は、冷凍庫から取り出した直後の表面温度が０度以上であり、結露量が少ない。試料４ないし６により作成した袋は、冷凍庫から取り出した直後の表面温度が０度以下であり、結露量が多いか氷結がある。
【産業上の利用可能性】
【００２９】
本発明の包装容器は、アイスクリームやシャーベットのような氷菓子を収容するのに特に適し、両面部分または対向するガセット部分を手の指で押圧した時、指を極度に冷やすことなく口部から氷菓子を吸い出すことができる。
【図面の簡単な説明】
【００３０】
【図１】本発明による包装容器の一部を破いて示す斜視図である。
【図２】本発明による包装容器の両面部分のフィルム構成を示す図である。
【図３】本発明による包装容器のガセット部分のフィルム構成を示す図である。
【図４】本発明による包装容器の取出具の側面図である。
【符号の説明】
【００３１】
１  包装容器
２  ガセット形容器
３  取出具
４  両面部分
５  ガセット部分
６  プラスチックフィルム
８  ポリエステルフィルム
９  ポリプロピレン系不織布
１０  延伸ナイロンフィルム
１１  直鎖状低密度ポリエチレンフィルム
【要約】
【課題】  充填後の急速冷凍に影響がなく、飲用に際して、包装容器の対向する２面を手の指で押圧した時に指が極度に冷えることがない包装容器を提供する。
【解決手段】  ラミネートフィルムで作られた両面部分４，４とガセット部分５，５を有するガセット形容器２と、ガセット形容器２の開口部２ａに固着された取出具３とを有し、ガセット形容器２の対向する２面を断熱層９を有するラミネートフィルム６で形成し、他の対向する２面を断熱性のないラミネートフィルム７で形成する。
【選択図】  図１
【図１】
0003604685.tif 000003
【図２】
0003604685.tif 000004
【図３】
0003604685.tif 000005
【図４】
0003604685.tif 000006